(57)【要約】      （修正有）【課題】カップ体内における複数個の垂直方向の間隔により、１杯に複数種の味わいの飲み物と間食を詰め込むように供するドリンク用多胞形カップ用具を提供する。【解決手段】カップ体１０，垂直方向の仕切り板１１と蓋体により構成される。カップ体１０が、その内側空間に、少なくとも一つの垂直方向の仕切り板１１にて、複数個の互いに隔離する独立垂直方向の空間１２を仕切ることにより、同じまたは異なる飲み物と間食を、それぞれ詰め込むように供する。カップ体１０の一つの底面の上には、少なくとも一つの垂直方向の仕切り板１１に互いに対応する少なくとも一つの垂直方向の凹槽を、更に設け、一つのカップ体の垂直方向の仕切り板１１が、他のカップ体の垂直方向の凹槽内に重合して進入でき、これにより、数個のカップ体を上下に重合する。【選択図】図１
0003193375.tif 000002
【実用新案登録請求の範囲】
【請求項１】
ドリンク用多胞形カップ用具は、頂端開口のカップ体を一つ含んでなるドリンク用多胞形カップ用具であって、該カップ体が、その内側空間に、少なくとも一つの垂直方向の仕切り板により、複数個の互いに隔離する独立垂直方向の空間を仕切り、全ての垂直方向の空間内に、飲み物と間食をそれぞれ放置するように供することが可能であることを特徴とする、ドリンク用多胞形カップ用具。
【請求項２】
該垂直方向の仕切り板が、該カップ用具の頂縁と同じ高さにし、且つ該垂直方向の仕切り板のエッジが、該カップ体の内縁面に密接することを特徴とする、請求項１に記載のドリンク用多胞形カップ用具。
【請求項３】
さらに蓋体を一つ含んでなり、それが該カップ用具と各垂直方向の仕切り板の頂縁に水平的に被覆されることを特徴とする、請求項１に記載のドリンク用多胞形カップ用具。
【請求項４】
該カップ体の一つの底面の上には、該少なくとも一つの垂直方向の仕切り板に互いに対応する少なくとも一つの垂直方向の凹槽を、更に設け、一つのカップ体の垂直方向の仕切り板が、他のカップ体の垂直方向の凹槽内に重合して進入でき、これにより、数個のカップ体を上下に重合することを特徴とする、請求項１に記載のドリンク用多胞形カップ用具。
【考案の詳細な説明】
【技術分野】
【０００１】
本考案は、ドリンク用多胞形カップ用具に属するが、特にカップ体の内側における複数個の垂直方向の間隔により、複数個の互いに隔離する空間を仕切り、１杯に複数種の味わいの飲み物と間食を詰め込むように供することを、指す。
【背景技術】
【０００２】
最近、台湾に現在販売するアイス飲み物と冷たい飲み物の商品が、既に次第に世界の飲み物と間食の市場を開くらしいが、特に現場の店員を経由して即時に調製するタピオカティーに対し、もっとヨーロッパの消費者の好みを受け入れるが、そして多様化と多重的な味わいの変化が最も主要なセールスポイントに属するので、機能性の詰込み要求に合致でき且つ一つの使いやすい携帯式カップのみにより１杯に複数種の特色の味わいの飲み物と間食を便宜的に集めるために、本考案の製品のような構成の需要を招き始める。
【０００３】
通常は、飲み物と間食を詰め込むための使いやすい携帯式カップが、大盃以上の寸法に属すれば、よく常に内部に詰め込まれる飲み物と間食が、既に極めて重くなり、更に手で握って通行して絶えずに揺れるので、カップ体の負荷の不均一を招き、極めて変形を招いて滲み洩れやすくなるが、従って消費者の不便を招き、使いやすい携帯式カップの構造を強化する必要があり、同時に詰込みの上における様々な悩みの解決をも期待する。
【考案の概要】
【０００４】
本考案の目的は、ドリンク用多胞形カップ用具を提供するもので、主として少なくとも一つの垂直方向の仕切り板により、該カップ用具の内部を、複数個の垂直方向の空間に仕切ることにより、複数種の同じまたは異なる飲み物と間食を、それぞれ詰め込むように供する。
【０００５】
本考案の副次的な目的は、前述のドリンク用多胞形カップ用具を提供するもので、数個のカップ体を互いに上下に重合して放置でき、その占有する貯蔵空間を有効に低減でき、環境保護および廃棄物の処理上では、更に比較的便利で且つ空間を占めることがない。
【０００６】
本考案のドリンク用多胞形カップ用具の改良は、その構成に基づき、主としてカップ体，垂直方向の仕切り板と蓋体により構成され、その中でも、その内側空間に垂直方向の仕切り板により、複数個の独立垂直方向の空間を仕切る。
【０００７】
例えば本考案のドリンク用多胞形カップ用具の改良は、その構成に基づき、主としてカップ体，垂直方向の仕切り板と蓋体により構成され、その中でも、垂直方向の仕切り板がカップ用具の頂縁と同じ高さにし、且つ仕切り板のエッジが、カップ体の内縁面に密接する。
【０００８】
例えば本考案のドリンク用多胞形カップ用具の改良は、ドリンク用多胞形カップ用具を改良するもので、その構成に基づき、主としてカップ体，垂直方向の仕切り板と蓋体により構成され、その中でも、蓋体が、カップ用具の頂縁と垂直方向の仕切り板の頂縁に水平的に被覆することにより、カップ体の内側に複数個の封止の垂直方向の空間を形成できる。
【０００９】
例えば本考案のドリンク用多胞形カップ用具の改良は、該カップ体の底面の上には、該少なくとも一つの垂直方向の仕切り板に互いに対応する少なくとも一つの垂直方向の凹槽を、更に設け、一つのカップ体の垂直方向の仕切り板が、他のカップ体の垂直方向の凹槽内に重合して進入でき、これにより、数個のカップ体を上下に重合する。
【図面の簡単な説明】
【００１０】
【図１】ドリンク用多胞形カップ用具の部分構成透視図である。
【図２】ドリンク用多胞形カップ用具の実施例の模式図である。
【図３】ドリンク用多胞形カップ用具の他の実施例の立体斜視図である。
【図４】図３に示す複数個のカップ用具を互いに重合する時の立体模式図である。
【図５】ドリンク用多胞形カップ用具の他の実施例の立体斜視図である。
【図６】図６に示す複数個のカップ用具を互いに重合する時の立体模式図である。
【考案を実施するための形態】
【００１１】
ドリンク用多胞形カップ用具の部分構成透視図である図１を参照するが、その中でも、頂端開口のカップ体１０が、その内側空間に、垂直方向の仕切り板１１により、複数個の独立垂直方向の空間１２を仕切り、且つ垂直方向の仕切り板１１の頂縁１３がカップ用具の頂縁１４と同じ高さにし、更に仕切り板のエッジ１５が、カップ体１０の内縁面１６に密接するが、従って該カップ体１０の構造が既に強化され、カップ体１０は、負荷の不均一により変形の状況発生を招くことがなく、最も経済的な方式により、重量杯の飲み物または間食を詰め込む悩みを同時に解決する。
【００１２】
ドリンク用多胞形カップ用具の実施例の模式図である図２を参照するが、その構成に基づき、主としてカップ体１０，垂直方向の仕切り板１１と蓋体１７により構成され、その中でも、蓋体１７が、カップ用具の頂縁１４と垂直方向の仕切り板１１の頂縁１３に水平的に被覆することにより（図１に戻して参照すれば、了解できる）、カップ体１０の内側に複数個の封止の垂直方向の空間１２を形成できる。
【００１３】
続いて図２を参照するが、その中でも、カップ体１０の内側に形成された垂直方向の空間１２に、異なる味わいの飲み物と間食を詰め込んでもよいが、従ってその内容物が恐らく異なり、つまりこの時に異なる口径のストロー１８に対応して蓋体１７から挿し込んでもよいが、消費者の吸込みに寄与する。
【００１４】
図３を参照するが、本考案の提供するドリンク用多胞形カップ用具の他の実施例は、主として一つのカップ体２０，少なくとも一つの垂直方向の仕切り板２１と少なくとも一つの垂直方向の凹槽２２を、含んでなる。
【００１５】
その中でも、該カップ体２０が、紙質材料、例えばPP，PLA，PET，EPSなどのプラスチック材料または他の衛生の無毒性材料を使用して製造でき、該カップ体２０が、一つの連続周囲壁２３と一つの底面２４により構成され且つ頂面の開口２５を一つ有する詰込み容器である。該連続周囲壁２３が、環形，四辺形，多辺形または他の造型の壁面であってもよい。
【００１６】
該少なくとも一つの垂直方向の仕切り板２１が、該カップ体２０の内部に設置され、且つ該底面２４から上向きに延伸し、これにより、該カップ体２０が複数個の互いに隔離する独立垂直方向の空間２６を仕切る。より好ましい実施例の中において、最も良くしかし必要ではないが、該少なくとも一つの垂直方向の仕切り板１１が、好ましくは該カップ体２０の頂面の開口２５と同じ高さにし、且つ最も良くしかし必要ではないが、該連続周囲壁２３と接続する。
【００１７】
該少なくとも一つの垂直方向の凹槽２２が、該カップ体２０の底面２４の上に設けられ、その形状，数量および寸法などが、何れも該少なくとも一つの垂直方向の仕切り板２１に互いに対応し、雌雄構造を一つ形成するが、従って、例えば図４に示すように、一つのカップ体２０の垂直方向の仕切り板２１が、他のカップ体２０’の垂直方向の凹槽２２’の内に重合して進入でき、これにより、数個のカップ体２０，２０’を上下に重合する。
【００１８】
同時に図５と図６を参照するが、該ドリンク用多胞形カップ用具の他の実施例は、その主要な構造が前述の図３及び図４に示す実施例と同じであるので、以下に異なる部分のみについて、より説明するが、該少なくとも一つの垂直方向の仕切り板２１がトライデント形状となるように設計され、これにより、該カップ体２０が、三つの互いに隔離する独立垂直方向の空間２６を仕切る。特に説明する必要があるのは、該垂直方向の仕切り板２１の数量および形状などが、消費者の趣味および市場の需要に基づき、各種の変化の実施例を行なってもよいが、例えば垂直方向の仕切り板２１が、円弧形，環形または他の任意形状等となるように作成され、何れも本考案の当然に予期できる等価な実施例である。
【符号の説明】
【００１９】
１０  カップ体
１１  垂直方向の仕切り板
１２  独立垂直方向の空間
１３  頂縁
１４  頂縁
１５  エッジ
１６  内縁面
１７  蓋体
１８  ストロー
２０  カップ体
２０’カップ体
２１  垂直方向の仕切り板
２２  垂直方向の凹槽
２２’垂直方向の凹槽
２３  連続周囲壁
２４  底面
２５  頂面の開口
２６  独立垂直方向の空間
【図１】
0003193375.tif 000003
【図２】
0003193375.tif 000004
【図３】
0003193375.tif 000005
【図４】
0003193375.tif 000006
【図５】
0003193375.tif 000007
【図６】
0003193375.tif 000008